(57)【要約】      （修正有）【課題】ヒューズ交換を容易に行うことができる配線モジュールを提供する。【解決手段】正極の電極端子１２Ａ及び負極の電極端子１２Ｂを有する複数の単電池１１が並べられてなる単電池群１３に取り付けられる配線モジュール２０であって、電極端子１２Ａ，１２Ｂに電気的に接続されて単電池１１の状態を検知する検知端子２１と、検知端子２１が保持される合成樹脂製の樹脂プロテクタ２８と、検知端子２１に接続された検知電線Ｗと、樹脂プロテクタ２８に備えられると共に検知電線Ｗに電気的に接続されるヒューズ５２が着脱可能に装着されるヒューズブロック５０と、を備える。【選択図】図１
2013106400.tif 000002
【特許請求の範囲】
【請求項１】
正極及び負極の電極端子を有する複数の単電池が並べられてなる単電池群に取り付けられる配線モジュールであって、
前記電極端子に電気的に接続されて前記単電池の電圧を検知する検知端子と、前記検知端子が保持される合成樹脂製の樹脂プロテクタと、前記検知端子に接続された検知電線と、前記樹脂プロテクタに備えられると共に前記検知電線に電気的に接続されるヒューズが着脱可能に装着されるヒューズブロックと、を備えた配線モジュール。
【請求項２】
前記配線モジュールには、前記樹脂プロテクタとは別体に形成された前記ヒューズブロックが取り付けられるヒューズブロック取り付け部が形成されている請求項１に記載の配線モジュール。
【請求項３】
前記検知電線の端末には入力コネクタが接続されており、前記ヒューズブロックには前記入力コネクタが嵌合される入力コネクタ嵌合部が形成されている請求項１または請求項２に記載の配線モジュール。
【請求項４】
前記ヒューズブロックには出力コネクタが嵌合される出力コネクタ嵌合部が形成されており、前記出力コネクタからは前記ヒューズと電気的に接続される電線が導出されている請求項１ないし請求項３のいずれか一項に記載の配線モジュール。
【発明の詳細な説明】
【技術分野】
【０００１】
本発明は、配線モジュールに関する。
【背景技術】
【０００２】
電気自動車やハイブリッド車用の電池モジュールとして、特許文献１に記載のものが知られている。この電池モジュールは、正極及び負極の電極端子を有する単電池が複数個並んで配列されており、隣り合う単電池の電極端子間が接続部材で接続されることにより複数の単電池が直列や並列に接続される。
【０００３】
複数の単電池には配線モジュールが取り付けられている。この配線モジュールには、単電池の状態を検知する検知端子が配設されている。特許文献１に係る検知端子は単電池の電極端子に接続されて、単電池の電圧を検知する。検知端子には電線が接続されている。この電線は、電池モジュールに形成された溝部内に配索されて、電池モジュールの外部に配された電池ＥＣＵに接続される。この電池ＥＣＵにて単電池の電圧が検知されるようになっている。
【先行技術文献】
【特許文献】
【０００４】
【特許文献１】特開２００１−１１０３９６号公報
【発明の概要】
【発明が解決しようとする課題】
【０００５】
上記の電線は単電池の電圧を検知するためのものなので、比較的に小さな電流が流れるようになっている。しかし、電線は単電池の電極端子に接続されているので、複数の電線同士が短絡すると、単電池同士が短絡してしまうことになってしまう。
【０００６】
そこで、特許文献１に係る技術においては、各検知端子にヒューズをはんだ付けにより接続し、電線同士が短絡した場合にはヒューズが溶断することにより、単電池同士が短絡することを抑制するようになっている。
【０００７】
しかし、上記の構成によれば、ヒューズが溶断した場合、配線モジュールごと交換しなければならず、溶断したヒューズのみを交換することはできない。
【０００８】
本発明は上記のような事情に基づいて完成されたものであって、ヒューズ交換を容易に行うことができる配線モジュールを提供することを目的とする。
【課題を解決するための手段】
【０００９】
本発明は、正極及び負極の電極端子を有する複数の単電池が並べられてなる単電池群に取り付けられる配線モジュールであって、前記電極端子に電気的に接続されて前記単電池の電圧を検知する検知端子と、前記検知端子が保持される合成樹脂製の樹脂プロテクタと、前記検知端子に接続された検知電線と、前記樹脂プロテクタに備えられると共に前記検知電線に電気的に接続されるヒューズが着脱可能に装着されるヒューズブロックと、を備える。
【００１０】
本発明によれば、検知電線同士が短絡してヒューズが溶断した場合、溶断したヒューズをヒューズブロックから取り外し、正常なヒューズと交換すればよい。このように、本発明によれば、ヒューズを容易に交換することができる。
【００１１】
本発明の実施態様としては以下の態様が好ましい。
前記配線モジュールには、前記樹脂プロテクタとは別体に形成された前記ヒューズブロックが取り付けられるヒューズブロック取り付け部が形成されていることが好ましい。
【００１２】
上記の態様によれば、ヒューズブロックと、樹脂プロテクタとを、別々に形成しておき、ヒューズブロック取り付け部にヒューズブロックを取り付ければよい。これにより、ヒューズブロックと樹脂プロテクタとを一体に形成する場合に比べて、ヒューズブロック及び樹脂プロテクタの形状について設計の自由度が増す。
【００１３】
前記検知電線の端末には入力コネクタが接続されており、前記ヒューズブロックには前記入力コネクタが嵌合される入力コネクタ嵌合部が形成されていることが好ましい。
【００１４】
上記の態様によれば、検知電線とヒューズブロックとの接続を、入力コネクタと、入力コネクタ嵌合部とのコネクタ接続により実現できるので、複数の検知電線をヒューズブロックに接続する場合に特に有効である。
【００１５】
前記ヒューズブロックには出力コネクタが嵌合される出力コネクタ嵌合部が形成されており、前記出力コネクタからは前記ヒューズと電気的に接続される電線が導出されていることが好ましい。
【００１６】
上記の態様によれば、検知電線とヒューズブロックとの接続を、出力コネクタと、出力コネクタ嵌合部とのコネクタ接続により実現できるので、複数の電線をヒューズブロックに接続する場合に特に有効である。
【発明の効果】
【００１７】
本発明によれば、配線モジュールに配されたヒューズの交換を容易に行うことができる。
【図面の簡単な説明】
【００１８】
【図１】図１は本発明の一実施形態に係る配線モジュールが取り付けられた電池モジュールを示す斜視図である。
【図２】図２は電池モジュールを示す平面図である。
【図３】図３は接続部材を示す平面図である。
【図４】図４は検知端子を示す平面図である。
【図５】図５は配線モジュールを示す平面図である。
【図６】図６は樹脂プロテクタを示す平面図である。
【図７】図７は配線モジュールを示す斜視図である。
【図８】図８はヒューズブロックを示す斜視図である。
【図９】図９は配線モジュールを示す側面図である。
【図１０】図１０は配線モジュールを示す正面図である。
【発明を実施するための形態】
【００１９】
＜実施形態＞
本発明に係る配線モジュール２０を電池モジュール１０に適用した一実施形態を、図１ないし図１０を参照しつつ説明する。この電池モジュール１０は、複数の単電池１１を並べて構成された単電池群１３に配線モジュール２０を取り付けて構成される。この電池モジュール１０は、例えば、電気自動車またはハイブリッド自動車等の駆動源として使用される。以下では、上下方向については、図１を基準とし、前後方向については、図２の下方を前方、上方を後方として説明する。また、図２における右方を右方とし、左方を左方とする。
【００２０】
（電池モジュール１０）
電池モジュール１０は、図２に示すように、横並びに配列された複数個の単電池１１からなる単電池群１３と、隣り合う電極端子１２Ａ，１２Ｂ間を接続する接続部材１５と、単電池群１３の上面に組み付けられる配線モジュール２０とを備えて構成されている。
【００２１】
各単電池１１の内部には、図示しない発電要素が収容されている。単電池１１の上面には、垂直に突出する一対の電極端子１２Ａ，１２Ｂが設けられている。電極端子１２Ａ，１２Ｂ（正極を１２Ａ，負極を１２Ｂとして図示）は、ボルトであって、単電池１１の前部及び後部に設けられており、外周にネジ溝を有する。
【００２２】
各単電池１１の極性（正負）の向きは、互いに隣り合う単電池１１が逆向きになるように配置されており、これにより、互いに異極の電極端子１２Ａ，１２Ｂが隣り合うように構成されている。これら複数の単電池１１は図示しない保持板によって固定されている。このように構成された単電池群１３は電極端子１２Ａ，１２Ｂが前後２列に並んでおり、接続部材１５を組み付けることにより、複数の単電池１１が直列に接続される。
【００２３】
（接続部材１５）
接続部材１５は、銅、銅合金、アルミニウム等の金属板材からなり、図３に示すように、Ｔ字状であって、左右方向に延びて隣り合う電極端子１２Ａ，１２Ｂ間を接続する本体部１６と、前後方向に延びて検知端子２１と接続される延出部１８とを有する。
【００２４】
本体部１６には、左右一対の挿通孔１７，１７が貫通形成されている。挿通孔１７，１７は、円形状をなしている。
【００２５】
延出部１８は、左右方向（本体部１６の延出方向）の中間部から前後方向（延出方向と直交する方向）に延びており、その幅寸法は本体部１６の幅寸法よりも狭く形成されている。延出部１８の先端部には、円形状の固定孔１９が形成されている。固定孔１９は、接続部材１５と検知端子２１との間を固定部材（図示しない）により固定するためのものである。
【００２６】
なお、固定部材による固定は、例えば、固定孔１９の部分に、バーリング加工を施してその内面にネジ溝を形成したり、ナットのネジ孔が固定孔１９に連なるようにナットを延出部１８の裏面に溶接等で固定することにより固定孔１９の内面に連なるネジ溝を形成し、ボルト等の固定部材で締結するようにすればよい。
【００２７】
（配線モジュール２０）
配線モジュール２０は、図２に示すように、検知電線Ｗの端末部に接続されて単電池１１の電圧を検知する複数の検知端子２１と、複数の検知端子２１が収容される合成樹脂製の樹脂プロテクタ２８と、を備えて構成されている。
【００２８】
（検知端子２１）
検知端子２１は、図４に示すように、単電池１１の電圧を検知するために設けられており、板状部２２と、検知電線Ｗの端末に接続される電線接続部２５とを備える。板状部２２は、矩形状であって、中心部に円形状の固定孔２３が形成されている。この固定孔２３は、接続部材１５の延出部１８に設けられた固定孔１９に連なるようになっており、固定孔２３及び固定孔１９に固定部材（図示しない）を通して検知端子２１と接続部材１５との間の電気的接続及び相対的位置の固定を行う。板状部２２の先端側の一方の角部には、矩形状の係止片２４が前方に突出して設けられている。
【００２９】
電線接続部２５は、検知電線Ｗの導体部が接続されるワイヤバレル部２６と、絶縁被覆（絶縁層）の上から保持するインシュレーションバレル部２７とを備える。検知電線Ｗは、被覆電線であって、端末部において絶縁被覆（絶縁層）を剥ぎ取り露出させた導体が検知端子２１に接続されている。検知電線Ｗは、後述する電線収容溝４３に集められて電池ＥＣＵ（図示しない）に導かれる。この電池ＥＣＵは、マイクロコンピュータ、素子等が搭載されたものであって、単電池１１の電圧・電流・温度等の検知、各単電池１１の充放電コントロール等を行うための機能を備えた周知の構成のものである。
【００３０】
（樹脂プロテクタ２８）
樹脂プロテクタ２８は、合成樹脂製であって、各検知端子２１を保持する複数の保持部２９と、各検知端子２１に接続された検知電線Ｗが通される溝部３４と、左右に隣り合う保持部２９間を接続するとともに隣り合う保持部２９間の間隔を調整可能な間隔調整手段４０と、を備える。複数の保持部２９は、図５の左右方向に並ぶと共に、前後方向に２列に並んで配されている。なお、図５においては、説明のため、検知電線Ｗを省略して記載してある。
【００３１】
保持部２９は上方に開口する箱状をなしており、矩形状の底壁と、底壁の周縁部から立ち上がる側壁と、を備えている。保持部２９には、矩形状の開口部３１が底壁を貫通して設けられており、この開口部３１を検知端子２１と接続部材１５とを接続する固定部材が貫通するようになっている（図６参照）。
【００３２】
保持部２９の側壁は、工具等が検知端子２１に接触して短絡することを防止するために、工具等の接触が防止される高さで設けられるものであり、検知端子２１を包囲するように立設されている。保持部２９の側壁は、板状部２２の前後から挟み込むことにより板状部２２を保持部２９に保持している。板状部２２と左右の側壁との間には、底壁の上に板状部２２が配されない部分が形成されている。なお、保持部２９の側壁の内面に、例えば側壁を切欠いて内方側に爪状に突出する撓み片を設け、この撓み片の爪の下に板状部２２の周縁部を配することで、検知端子２１の保持部２９からの離脱を規制するようにしてもよい。
【００３３】
保持部２９の側壁のうち溝部３４とは反対側には、検知端子２１の係止片２４が挿通される係止片挿通孔（図示しない）が設けられている。係止片挿通孔は、左右方向に延びるスリット状であって、係止片の先端部が係止片挿通孔からわずかに突き出る。保持部２９の側壁における係止片挿通孔の外方側の面には、図７に示すように、係止片挿通孔を覆う補助壁３３が設けられている。
【００３４】
溝部３４は、保持部２９のうち、接続部材１５とは反対側の端部に通し溝３５を介して接続されている。通し溝３５は、その溝内に検知端子２１の電線接続部２５が収容可能に形成されている。
【００３５】
溝部３４は、通し溝３５の溝底に連なる溝底と、この溝底の前後の端縁から立ち上がる溝壁とを有し、溝壁における通し溝３５に連なる部分は、溝壁が分断されて検知端子２１の端末に連なる検知電線Ｗを通し溝３５から溝部３４内に導くことができるようになっている。
【００３６】
図５おいて、後ろ側に配された保持部２９に形成された溝部３４と、前側に配された保持部２９に形成された溝部３４とは、図５の左右方向について交互に並ぶように配されている。これにより、後ろ側に配された保持部２９に形成された溝部３４と、前側に配された保持部２９に形成された溝部３４とは、左右方向に一列状に連なって電線収容溝４３を構成している。
【００３７】
間隔調整手段４０は、隣り合う保持部２９間を連結するとともに、単電池群１３への組み付けの際の寸法公差に対して隣り合う保持部２９間の間隔を調整することで組み付けの際の寸法公差を吸収するものであり、保持部２９の側壁の角部から左右方向（保持部２９の並び方向）に対して傾斜した方向に延びる一対の撓み部４１と、左右方向に延びて左右に隣り合う撓み部４１間を連結する一対の連結部４２とを備える。一対の撓み部４１は、互いに近づく方向（撓み部間の間隔を狭くする方向）に所定の角度（本実施形態では、左右方向に対して概ね５５度の角度）で傾斜している。
【００３８】
一対の撓み部４１は、上下方向（配線モジュールの単電池群への組み付け方向）の寸法が、保持部２９の側壁の高さ寸法にほぼ等しい厚肉の寸法である。また、厚み寸法（図６に表されている撓み部の厚み）は、保持部２９の側壁の厚み寸法にほぼ等しい薄肉の寸法とされている。なお、撓み部４１の左右方向に対する傾斜角度、上下方向の寸法、及び、厚み寸法は、上記した値に限らず、単電池群１３への組み付けの際の寸法公差を吸収できる程度の値に適宜設定することができる。連結部４２は、撓み部４１と同一の高さ及び厚み寸法で撓み部４１に連なるように形成されている。
【００３９】
（ヒューズブロック５０）
樹脂プロテクタ２８には、図５における左端部に、ヒューズブロック取り付け部５１が形成されており、このヒューズブロック取り付け部５１に、合成樹脂製のヒューズブロック５０が取り付けられている。ヒューズブロック５０は概ねブロック状をなしている。ヒューズブロック５０の上面には、複数のヒューズ５２が着脱可能なヒューズ装着部５３が上方に開口して形成されている。
【００４０】
図６に示すように、ヒューズ装着部５３は上方に開口する浅い皿状に形成されており、ヒューズブロック５０が上方から組み付けられるようになっている。図には詳細に示さないが、ヒューズブロック５０は、ヒューズブロック取り付け部５１に、ビス止め、ロック爪による係止等、公知の手法により取り付けられるようになっている。
【００４１】
図８に示すように、ヒューズブロック５０の右側面には、検知電線Ｗの端末に取り付けられた入力コネクタ５４と嵌合可能な入力コネクタ嵌合部５５が形成されている。ヒューズブロック５０がヒューズブロック取り付け部５１に取り付けられた状態において、入力コネクタ５４は、電線収容溝４３に面するようになっている。図９に示すように、入力コネクタ嵌合部５５の内部には入力コネクタ端子５６が配されており、この入力コネクタ端子５６は、ヒューズ５２に接続されるヒューズ用端子（図示せず）と電気的に接続されている。これにより、入力コネクタ５４が、入力コネクタ嵌合部５５内に嵌合されることで、ヒューズ装着部５３に装着されたヒューズ５２と、検知電線Ｗとが電気的に接続されるようになっている。
【００４２】
また、図８に示すように、ヒューズブロック５０の前側面には、出力コネクタ５７が嵌合可能な出力コネクタ嵌合部５８が形成されている。出力コネクタ５７からは、複数の電線５９が導出されている。図１０に示すように、出力コネクタ嵌合部５８の内部には出力コネクタ端子６０が配されており、この出力コネクタ端子６０はヒューズ５２に接続されるヒューズ用端子（図示せず）と電気的に接続されている。これにより、出力コネクタ５７が、出力コネクタ嵌合部５８に嵌合されることで、ヒューズ装着部５３に装着されたヒューズ５２と、電線５９とが電気的に接続されるようになっている。
【００４３】
（本実施形態の作用、効果）
続いて、本実施形態の作用、効果について説明する。本実施形態によれば、配線モジュール２０の樹脂プロテクタ２８には、ヒューズブロック５０が取り付けられている。このヒューズブロック５０のヒューズ装着部５３には、ヒューズ５２が着脱可能に装着されるようになっている。このヒューズ５２は、検知端子２１に接続された検知電線Ｗと電気的に接続されるようになっている。これにより、検知電線Ｗ同士が短絡した場合には、ヒューズ５２が溶断することにより、単電池１１間が短絡して、比較的に大きな電流が流れることを抑制することができる。
【００４４】
また、ヒューズ５２が溶断した場合には、溶断したヒューズ５２のみをヒューズブロック５０から取り外し、正常なヒューズ５２と交換すればよい。このように、本実施形態によれば、例えば検知端子２１に直接にヒューズ５２が接続される場合に比べて、溶断したヒューズ５２を容易に交換することができる。
【００４５】
また、本実施形態によれば、配線モジュール２０には、樹脂プロテクタ２８とは別体に形成されたヒューズブロック５０が取り付けられる、ヒューズブロック取り付け部５１が形成されている。これにより、本実施形態においては、ヒューズブロック５０と、樹脂プロテクタ２８とを、別々に形成しておき、ヒューズブロック取り付け部５１にヒューズブロック５０を取り付ければよい。この結果、ヒューズブロック５０と樹脂プロテクタ２８とを一体に形成する場合に比べて、ヒューズブロック５０及び樹脂プロテクタ２８の形状について設計の自由度が増す。
【００４６】
また、本実施形態によれば、検知電線Ｗの端末には入力コネクタ５４が接続されており、ヒューズブロック５０には入力コネクタ５４が嵌合される入力コネクタ嵌合部５５が形成されている。これにより、検知電線Ｗとヒューズブロック５０との接続を、入力コネクタ５４と、入力コネクタ嵌合部５５とのコネクタ接続により実現できるので、複数の検知電線Ｗをヒューズブロック５０に接続する場合に特に有効である。
【００４７】
更に、本実施形態によれば、ヒューズブロック５０には出力コネクタ５７が嵌合される出力コネクタ嵌合部５８が形成されており、出力コネクタ５７からはヒューズ５２と電気的に接続される電線５９が導出されている。これにより、ヒューズ５２から導出される電線５９と、ヒューズブロック５０との接続を、出力コネクタ５７と、出力コネクタ嵌合部５８とのコネクタ接続により実現できるので、複数の電線５９をヒューズブロック５０に接続する場合に特に有効である。
【００４８】
＜他の実施形態＞
本発明は上記記述及び図面によって説明した実施形態に限定されるものではなく、例えば次のような実施形態も本発明の技術的範囲に含まれる。
（１）本実施形態においては、ヒューズブロック５０と樹脂プロテクタとは別体に形成される構成としたが、これに限られず、ヒューズブロック５０は、樹脂プロテクタと一体に形成されていてもよい。
【００４９】
（２）本実施形態においては、ヒューズブロック５０に形成された入力コネクタ嵌合部５５内に、検知電線Ｗに接続された入力コネクタ５４を嵌合させる構成としたが、これに限られず、検知電線Ｗは、入力コネクタ５４を介することなく、ヒューズブロック５０の内部に直接に導入されて、ヒューズ５２と接続されるヒューズ用端子と電気的に接続される構成としてもよい。
【００５０】
（３）出力コネクタ５７を省略し、電線５９は、ヒューズブロック５０の内部に導入されて、ヒューズ５２と接続されるヒューズ用端子と電気的に接続される構成としてもよい。
【００５１】
（４）上記実施形態では、樹脂プロテクタ２８は、プレート状であったが、これに限らず、樹脂プロテクタを複数の別体の（同一形状の）連結ユニットを左右に連結して構成したものに本発明の構成を適用してもよい。この場合、例えば、検知端子が保持される各連結ユニットに被係合部と、隣り合う連結ユニットの被係合部に係合する係合部を設け、係合部と被係合部とで連結ユニット間を接続するとともに連結ユニット間の間隔を調整する間隔調整手段を構成するようにすることができる。
【００５２】
（５）上記実施形態では、間隔調整手段４０として、一対の撓み部４１を設けたが、間隔調整手段としては、これに限られない。例えば、左右方向に弾性変形可能な弾性部材を用いて隣り合う保持部２９間の間隔を調整する構成としてもよい。また、例えば、一対の撓み部４１のうちの、一方の撓み部のみによって、間隔調整手段を構成するようにしてもよい。
【００５３】
（６）電池モジュール１０を構成する単電池１１の数については、上記実施形態の個数に限られない。また、保持部２９や間隔調整手段４０の数についても単電池１１の数に応じて適宜変更することができる。
【００５４】
（７）上記実施形態では、電極端子１２Ａ，１２Ｂに接続部材１５を挿通してナットで締結する構成であったが、これに限らず、単電池１１がナット型の電極端子を備える構成とし、ボルトをナット型の電極端子に締結するようにしてもよい。
【００５５】
（８）上記実施形態では、保持部２９には単電池１１の電圧を検知する検知端子２１が保持される構成としたが、電圧を検知する検知端子２１に限らず、単電池１１の状態（例えば電流や温度等）を検知する検知端子が保持部２９に保持されるようにしてもよい。
【００５６】
（９）接続部材１５については、配線モジュール２０（樹脂プロテクタ２８）とは別体で仕切り壁を有する収容部材に収容して接続部材１５を外部と絶縁するようにしてもよい。
【００５７】
（１０）上記実施形態では、接続部材１５は、異極の電極端子１２Ａ，１２Ｂを接続（直列接続）するものとしたが、これに限られず、同極の電極端子１２Ａ（１２Ｂ）を接続（並列接続）するものでもよい。例えば、上記実施形態の電池モジュール１０に更に別の単電池１１を並列接続し、この並列接続における同極の電極端子１２Ａ（１２Ｂ）を複数の接続部材１５で接続するようにしてもよい。
【００５８】
（１１）上記実施形態では、検知端子２１は、接続部材１５に接続される構成としたが、これに限られない。例えば、単電池に接続部材に接続される電極端子とは別に電圧検知用の電極を設け、配線モジュールの検知端子２１を、接続部材１５に接続せずに、単電池の電圧検知用の電極に接続して、単電池の電圧（状態）を検知するように構成してもよい。
【符号の説明】
【００５９】
１０…電池モジュール
１１…単電池
１２Ａ，１２Ｂ…電極端子
１３…単電池群
２０…配線モジュール
２１…検知端子
２８…樹脂プロテクタ
５０…ヒューズブロック
５１…ヒューズブロック取り付け部
５２…ヒューズ
５４…入力コネクタ
５５…入力コネクタ嵌合部
５７…出力コネクタ
５８…出力コネクタ嵌合部
Ｗ…検知電線
【図１】
2013106400.tif 000003
【図２】
2013106400.tif 000004
【図３】
2013106400.tif 000005
【図４】
2013106400.tif 000006
【図５】
2013106400.tif 000007
【図６】
2013106400.tif 000008
【図７】
2013106400.tif 000009
【図８】
2013106400.tif 000010
【図９】
2013106400.tif 000011
【図１０】
2013106400.tif 000012